(57)【要約】【課題】本発明は、空気清浄器の汚れを使用者に報知するとともに、取り扱いが不得手な使用者による不用意なメカ故障や、不具合の誘発を避けて安全に空気清浄器の脱着作業ができ、空気清浄器の機能保持を確実化した空気調和機の室内機を提供する。【解決手段】室内機本体１内部の通風路１５ａ，１５ｂに熱交換器８と送風機１０を配置し、熱交換器の上流側に吸込み口４，５を備え、吸込み口と熱交換器との間にエアフィルタ１７，２０を配置し、エアフィルタ移動機構２５，２６でエアフィルタを移動駆動し、エアフィルタ清掃ユニットＳはエアフィルタに付着する塵埃を除去して収集し、吸排気装置１１は収集された塵埃を屋外へ排出し、空気清浄ユニット１８をエアフィルタと熱交換器との間に脱着自在に取付け、制御部Ｒは空気清浄ユニットの汚れが所定以上であることを確認したときに使用者に報知するとともに、空調運転停止時にエアフィルタ移動機構を制御してエアフィルタを移動させ空気清浄ユニットを吸込み口に直接対向させる。【選択図】    図１
2010071631.tif 000002
【特許請求の範囲】
【請求項１】
室内機本体の内部に形成される通風路に、熱交換器および送風機が配置され、上記熱交換器の上流側に吸込み口を備えた空気調和機の室内機において、
上記吸込み口と熱交換器との間に配置されるエアフィルタと、
上記エアフィルタを移動駆動するエアフィルタ移動機構と、
このエアフィルタ移動機構により移動されるエアフィルタに対し、エアフィルタに捕捉され表面に付着している塵埃を除去し収集するエアフィルタ清掃ユニットと、
このエアフィルタ清掃ユニットに収集された塵埃を吸引し、屋外へ排出する吸排気装置と、
上記エアフィルタと熱交換器との間に、室内機本体から脱着自在に取付けられ、エアフィルタを通過した空気を清浄化する空気清浄器と、
上記空気清浄器に付着する汚れが所定以上の汚れであることを確認したときに使用者に報知するとともに、空調運転の停止時に上記エアフィルタ移動機構を制御してエアフィルタを移動させ、上記空気清浄器を上記吸込み口に直接対向させる制御手段と、
を具備することを特徴とする空気調和機の室内機。
【請求項２】
上記制御手段は、空調運転の停止時にエアフィルタを移動したあと、所定時間経過後まで上記空気清浄器が所定の部位に存在することを確認したときに、再び上記エアフィルタ移動機構を制御してエアフィルタを元の位置に復帰移動させるよう制御することを特徴とする請求項１記載の空気調和機の室内機。
【発明の詳細な説明】
【技術分野】
【０００１】
本発明は、特に、吸込んだ室内空気を清浄化する機能を備えた空気調和機の室内機に関する。
【背景技術】
【０００２】
たとえば［特許文献１］に開示される空気調和機の室内機は、吸込み口か室内機本体内に吸込まれた室内空気に含まれる塵埃を捕捉するエアフィルタを備えている。さらに、流通する室内空気に含まれる雑菌を殺菌し、臭いの成分を除去して無害無臭化する空気清浄器が備えられる。
【０００３】
長期の使用に亘れば、エアフィルタに捕捉した塵埃が堆積して、エアフィルタを流通する室内空気に対する流通抵抗となってしまう。ついには、熱交換効率が低下し、消費電力量が大になる。その一方で、室内機は壁面の高所に取付けられる壁掛け形が一般的であり、エアフィルタを取外しての掃除がし難い。
【０００４】
このことから、近時の室内機にはエアフィルタに付着する塵埃を自動的に除去・収集するエアフィルタ清掃ユニットが備えられるようになった。さらに、この清掃ユニットに連設して塵埃排出装置を備え、清掃ユニットに収集される塵埃を屋外へ自動的に排出する。したがって、使用者の手間が大幅に低減し、使い勝手の向上を得られる。
【０００５】
一方、上記空気清浄器においても、集塵作用にともない集塵側電極に静電気が生じ、塵埃や雑菌類等が付着し易い。そのまま放置すれば、空気清浄機能を低下させる。その一方で、上記エアフィルタのように単純構成ではないので、集塵側電極を自動的に清掃する機構を備えるのは困難である。
【０００６】
そこで、空気清浄器の場合は、室内機本体から脱着可能な構造にして、使用者が取外して汚れを除去する。必要な作業を終了した後は、再び空気清浄器を室内機本体の所定部位に取付けるようになっている。
【特許文献１】特開２００７−２０５６７０号公報
【発明の開示】
【発明が解決しようとする課題】
【０００７】
具体的に使用者は、空気清浄器の清掃にあたって前面パネルを開放して前面エアフィルタを露出させ、前面エアフィルタを取外ししたうえに、空気清浄器を取外しする必要がある。清掃後は逆に、空気清浄器を取付けてから、前面エアフィルタを取付け、さらに前面パネルを閉成する。
【０００８】
しかしながら、現在の空気調和機においては、使用者に空気清浄器の汚れを報知する手段を備えていない。したがって、空気清浄器に汚れが堆積して効率の低下をきたす虞れがある。
【０００９】
たとえ空気清浄器に対する清浄作業を行ったとしても、そのあと前面エアフィルタを所定の部位に確実に取付けなければならない。前面エアフィルタの取付け位置が正規の取付け位置よりずれていたり、正規の取付け位置であっても、取付け姿勢が傾いていると、エアフィルタ清掃ユニットの作用時にエアフィルタが移動しなくなる。  
すなわち、空気調和機（エアコン）の取り扱いが不得手な使用者による、不用意なメカ故障の発生を招き易く、さらに不具合が誘発される虞れがある。
【００１０】
本発明は上記事情にもとづきなされたものであり、その目的とするところは、空気清浄器の汚れを使用者に報知するとともに、取り扱いが不得手な使用者による不用意なメカ故障や、不具合の誘発を避けて安全に空気清浄器の脱着作業ができ、空気清浄器の機能保持を確実化した空気調和機の室内機を提供しようとするものである。
【課題を解決するための手段】
【００１１】
上記目的を満足するため本発明における空気調和機の室内機は、室内機本体の内部に形成される通風路に、熱交換器および送風機を配置し、熱交換器の上流側に吸込み口を備え、吸込み口と熱交換器との間にエアフィルタを配置し、エアフィルタ移動機構はエアフィルタを移動駆動し、エアフィルタ清掃ユニットは移動するエアフィルタから表面に付着する塵埃を除去して収集し、吸排気装置はエアフィルタ清掃ユニットが収集した塵埃を吸引して屋外へ排出し、エアフィルタと熱交換器との間に脱着自在に取付けた空気清浄器はエアフィルタを通過した空気を清浄化し、制御手段は空気清浄器に付着する汚れが所定以上の汚れであることを確認したときに使用者に報知するとともに、空調運転停止時にエアフィルタ移動機構を制御してエアフィルタを移動させ空気清浄器を吸込み口に直接対向させる。
【発明の効果】
【００１２】
本発明によれば、空気清浄器の汚れを使用者に報知するとともに、取り扱いが不得手な使用者による不用意なメカ故障や、不具合の誘発を避けて安全に空気清浄器の脱着作業ができ、空気清浄器の機能保持を確実化する等の効果を奏する。
【発明を実施するための最良の形態】
【００１３】
以下、図面を参照しながら、本発明の実施の形態について詳細に説明する。  
図１は空気調和機の室内機に係る概略の側断面図、図２は前面パネル２を外した状態での室内機本体１の正面図である。（なお、説明中に符号を付していない部品は図示していない。以下同じ）
室内機本体１は、この室内機本体１の前側筐体を構成する前面パネル２と、後板筐体３とから構成されていて、上下方向に対して幅方向に横長状をなす。室内機本体１の前面側一部に前面吸込み口４が開口され、前面吸込み口４に対向する前面パネル２には開閉駆動機構に支持される可動パネル２Ａが嵌め込まれている。
【００１４】
図１のような空調運転停止の状態では、上記可動パネル２Ａは前面パネル２表面に接合して同一面となり前面吸込み口４を閉成するが、空調運転時には手前側に突出変位して周囲に室内と連通する隙間を生じさせ、前面吸込み口４が室内に開放するようになる。
【００１５】
室内機本体１の上部には、枠状の桟が嵌め込まれる上面吸込み口５が設けられる。室内機本体１の前面下部に吹出し口６が開口される。この吹出し口６には、図示しない駆動機構に連結され回動姿勢によって吹出し口６を開閉し、運転条件に応じて熱交換空気の上下の吹出し方向を設定する２枚の上下ルーバ７ａ，７ｂが並行して設けられる。
【００１６】
上記室内機本体１内には、前側熱交換器部８Ａと後側熱交換器部８Ｂとで略逆Ｖ字状に形成される熱交換器８が配置される。この熱交換器８の一側部には、室内機本体１内に収容される全ての電気部品を制御する制御部（制御手段）Ｒを備えた電気部品箱９が並設される。
【００１７】
上記前側熱交換器部８Ａは、前面パネル２と間隙を存してほぼ平行な湾曲状に形成されて前面吸込み口４および上面吸込み口５一部と対向し、後側熱交換器部８Ｂは直状に形成されて上面吸込み口５と斜めに傾斜して対向している。上記熱交換器８の前後側熱交換器部８Ａ，８Ｂ相互間に送風機１０が配置される。
【００１８】
上記送風機１０は、室内機本体１の一側端のスペースに配置されたファンモータと、このファンモータの回転軸に一方の支軸が機械的に連結される横流ファンとから構成される。上記横流ファンの他方の支軸は軸受け具に支持されていて、さらにこの軸受け具と隣接する位置には後述する吸排気装置１１が設けられる。
【００１９】
上記前側熱交換器部８Ａの下端部は前ドレンパン１２ａ上に載り、上記後側熱交換器部８Ｂの下端部は後ドレンパン１２ｂ上に載る。前、後ドレンパン１２ａ，１２ｂは、それぞれの熱交換器部８Ａ，８Ｂから滴下するドレン水を受け、図示しない排水ホースを介して外部に排水できるようになっている。
【００２０】
前後ドレンパン１２ａ，１２ｂの一部側壁外面は送風機１０に近接して設けられ、これらで送風機１０の横流ファンに対するノーズを構成している。ノーズとなる前後ドレンパン１２ａ，１２ｂの側壁部分と吹出し口６の各辺部との間は、隔壁部材１４によって連結される。
【００２１】
隔壁部材１４で囲まれる空間部が、ノーズと吹出し口６とを連通する吹出し通風路１５ａとなっている。これに対して前面吸込み口４および上面吸込み口５と熱交換器８を介して送風機１０とを連通する空間部が吸込み通風路１５ｂとなっている。
【００２２】
上記吹出し通風路１５ａにおいて、吹出し口６に設けられる上下ルーバ７ａ，７ｂとは所定間隔を存した位置に左右ルーバ１３が設けられている。この左右ルーバ１３は、図示しない駆動機構に連結され、左右に回動駆動されて吹出し口６から吹出される熱交換空気の左右の送風方向を設定する。
【００２３】
前面パネル２と熱交換器８との間に亘って枠体組立１６が介在され、この枠体組立１６は取付け具を介して前面パネル２に取付けられる。枠体組立１６の前面部には、前部エアフィルタ１７と、二次エアフィルタであるところの空気清浄ユニット（空気清浄器）１８が前後して取付けられ、上面には上部エアフィルタ２０が取付けられる。
【００２４】
前部エアフィルタ１７上端と上部エアフィルタ２０前端との間に亘って、エアフィルタ清掃ユニットＳが設けられる。エアフィルタ清掃ユニットＳは、前面パネル２の前面と上面との交差部であるデッドスペース内に配置され、各エアフィルタ１７，２０と同一の幅方向長さで、前後方向にある程度の厚み寸法を有している。
【００２５】
エアフィルタ清掃ユニットＳの近傍部位に、前部エアフィルタ移動機構２５が設けられる。この前部エアフィルタ移動機構２５は、前部エアフィルタ１７の一端部と掛合していて、前部エアフィルタ１７を図の位置から上昇駆動し、エアフィルタ清掃ユニットＳを通過して上部エアフィルタ２０の上面側に所定間隔を存して対向させる。  
さらに、前部エアフィルタ移動機構２５は、前部エアフィルタ１７を下降駆動してエアフィルタ清掃ユニットＳを通過させ、再び元の位置に戻すよう制御される。
【００２６】
また、エアフィルタ清掃ユニットＳの近傍部位に、上部エアフィルタ移動機構２６が設けられる。この上部エアフィルタ移動機構２６は、上部エアフィルタ２０の一端部と掛合していて、上部エアフィルタ２０を図の位置から下降駆動し、エアフィルタ清掃ユニットＳを通過して前部エアフィルタ１７の前面位置に所定間隔を存して対向させる。  
さらに、上部エアフィルタ移動機構２６は、上部エアフィルタ２０を上昇駆動してエアフィルタ清掃ユニットＳを通過させ、再び元の位置に戻すよう制御される。
【００２７】
上記空気清浄ユニット１８は、前部エアフィルタ１７と熱交換器８を構成する前側熱交換器部８Ａとの間に介在され、左右に並ベて設けられる電気集塵機２２と、一方の電気集塵機２２の一側部に配置される集塵機電源部２３とから構成される。
【００２８】
各電気集塵機２２は同一の寸法形状に設計されていて、前部エアフィルタ移動機構２５を作動させて前部エアフィルタ１７を上部エアフィルタ２０の上面側に移動したあと、前面パネル２を開放することで、使用者が室内機本体１から容易に脱着自在に取付けられている。
【００２９】
電気集塵機２２は、流通する空気中の塵埃に電荷を与える荷電側電極と、電荷を与えられた塵埃を捕捉する集塵側電極を備えている。この電気集塵機２２は、本来の集塵機能を備える以外に，オゾン発生装置としても機能し、流通する空気中に含まれる雑菌類を死滅させ、あるいは室内機本体１内の構成部品に付着する雑菌類を死滅させることができる。
【００３０】
さらに、エアフィルタ清掃ユニットＳと吸排気装置１１について詳述する。  
図３はエアフィルタ清掃ユニットＳとその周辺部の断面にした斜視図、図４は吸排気装置１１側の室内機本体１一部の斜視図である。
【００３１】
上記エアフィルタ清掃ユニットＳは、エアフィルタ１７，２０から塵埃を除去する回転ブラシ３０を収容するとともに、除去した塵埃を収集する塵埃受け通路３１を備えたダストボックス３２と、ダストボックス３２下面に設けられ回転ブラシ３０の一部が露出する開口部３３と、この開口部３３を開閉自在にシール部材３４を支持するシール機構Ｗとから構成される。
【００３２】
上記ダストボックス３２は、帯電防止樹脂材を用いて成形され、かつ抗菌処理が施されている。そのため、塵埃の付着やカビの発生を防止して、長期に亘って清潔な状態を維持できる。同様に、回転ブラシ３０についても抗菌処理したものを使用して、塵埃の付着やカビの発生を防止して、長期に亘って清潔な状態を維持できる。
【００３３】
ダストボックス３２内部において塵埃の移動がスムーズとなるよう、塵埃接触部分に滑らかな表面処理を施している。特に塵埃受け通路３１においては、実際の塵埃除去運転において圧損を小さく抑え、風の流れがスムーズになるよう構成される。
【００３４】
上記シール部材３４は、合成ゴム等の柔軟弾性材から形成され、後述するようにエアフィルタ１７，２０の挟み込みチェック工程時と、吸排気装置１１の作動時に開口部３３を閉成する。空調運転時とエアフィルタ清掃ユニットＳの作動時は、開口部３３から露出する回転ブラシ３０とは接触せず、開口部３３を開放する。
【００３５】
さらに、ダストボックス３２内における塵埃受け通路３１と回転ブラシ３０の収容部位との間には掻き落し用突部３５が突設される。この掻き落し用突部３５は常時、回転ブラシ３０の毛先内に、回転ブラシ３０の軸方向に亘って挿入していて、回転ブラシ３０の回転にともなって毛先が摺接する位置にある。
【００３６】
再び図２に示すように、エアフィルタ清掃ユニットＳにおける上記吸排気装置１１が連設される側部とは反対側の側部（すなわち、電気部品箱９の取付け側）で、ダストボックス３２上面に矩形状の吸気口３６が開口される。この吸気口３６は、上記塵埃受け通路３１と連通しており、蓋体３７が開閉自在に取付けられる。
【００３７】
上記ダストボックス３２の一側部である吸気口６側には、蓋体３７に連結する駆動機構３８が並設される。上記駆動機構３８は、たとえば電磁ソレノイドからなり、この作動杆に連結される蓋体３７を往復移動させて吸気口３６を開閉できる。
【００３８】
図４にも示すように、上記ダストボックス３２の他側部には塵埃排出ボックス４０が連設されていて、塵埃排出ボックス４０は塵埃受け通路３１を介して上記吸気口３６と連通する。塵埃排出ボックス４０には案内ホース４２の一端部が接続され、この案内ホース４２を介してダストボックス３２は上記吸排気装置１１と連通する。
【００３９】
上記案内ホース４２の他端部は、風力ダンパの一端部を回動自在に支持するダンパケース４４に接続される。上記風力ダンパの他端部は重力でダンパケース内に垂れ下がって、ダンパケース４４内を閉成する。ダンパケース４４内に負圧がかかることで、風力ダンパは回動してダンパケース４４内を開放するようになっている。
【００４０】
上記ダンパケース４４は、内部に排気ファンを収容するファンケーシング４６の周面に一体に突設される。ファンケーシング４６の一側面から排気ファンと連結するファンモータ４７が突出し、反対側の側面には換気吸込み口と、補助換気吸込み口が開口される。これら換気吸込み口と補助換気吸込み口は、ダンパ駆動機構によって開閉自在である。  
上記ファンケーシング４６は排気ダクトが接続される排気口ａを備えている。排気ダクトは、室内機本体１の取付け壁面を貫通して屋外へ突出している。
【００４１】
以上の構成から、上記吸排気装置１１はダンパ駆動機構と排気ファンの駆動により、熱交換器８を通過した二次側空気、あるいは熱交換器８を通過する以前の一次側空気を屋外へ排出でき、あるいは風力ダンパが開放された状態で塵埃排出ボックス４０を通過した空気を屋外へ排出でき、あるいは排気口ａを完全閉成できる。
【００４２】
上記電気部品箱９内に収容される制御部Ｒは、図５に示すよう構成される。  
図５は、制御部Ｒのブロック図である。  
上記電気部品箱９内に、室内基板５０、送受光基板７０、および表示基板８０が収容される。
【００４３】
室内基板５０は、商用交流電源ＡＣに接続され、その商用交流電源ＡＣの交流電圧を電源スイッチ５１を介して電源回路５２に取込むとともに、商用交流電源ＡＣの交流電圧をパワーリレー５３を介して室外機の室外基板２００に送出する。電源回路５２は、取込まれた交流電圧を降圧および整流し、それを当該室内基板５０、送受光基板７０、および表示基板８０の動作用電圧として出力する。
【００４４】
そして、室内基板５０に、室内制御部（ＭＣＵ）６０、駆動回路６１，６２，６３，６４，６５およびシリアル回路６６が搭載される。室内制御部６０は、シリアル回路６６を介した室外基板２００とのデータ送受信により、室外基板２００上の室外制御部とともに、当該空気調和機の全体を制御する。
【００４５】
上記駆動回路６１は、上記上下ルーバ７ａ，７ｂ、左右ルーバ１３、および可動パネル２Ａを駆動する駆動機構を制御する。上記駆動回路６２は、エアフィルタ清掃ユニットＳ、前，上部エアフィルタ移動機構２５，２６、吸排気装置１１および空気清浄器１８を駆動する駆動機構を制御する。
【００４６】
上記駆動回路６３は、送受光基板７０上の送受光ユニット７１を駆動する。上記駆動回路６４は、表示基板８０上の上記表示ユニット８１を駆動する。上記駆動回路６５は、上記送風機１０のファンモータ１０Ｍを可変速駆動するもので、ファンモータ１０Ｍの回転数Ｎｉｆを検出する回転数検出回路を内蔵している。
【００４７】
また、室内制御部６０に、センサ群６７、空気清浄器検知器７５、パネル検知器６８、およびフィルタ検知器６９が接続されている。センサ群６７は、室内温度ＴＡを検知する室内温度センサ、熱交換器８の温度ＴＣを検知する熱交換器温度センサ、熱交換器８から導出される冷媒の温度ＴＣＪを検知する冷媒温度センサ、室内湿度を検知する室内湿度センサなどを含む。
【００４８】
空気清浄器検知器７５は、上述した空気清浄ユニット１８を構成する一対の電気集塵機２２が所定の部位に取付けられているか否かを検知し、および汚れ状態を検知する。パネル検知器６８は、可動パネル２Ａの開閉を検知し、フィルタ検知器６９は、前部エアフィルタ１７と上部エアフィルタ２０の挿脱を検知する。
【００４９】
上記送受光ユニット７１は、リモートコントローラ（リモコンともいう）１００から発せられる操作用の赤外線光を受光するとともに、リモートコントローラ１００に対するデータ送信用の赤外線光を発する。
【００５０】
なお、上記空気清浄器検知器７５の空気清浄ユニット１８の汚れ状態を検知する手段の具体例としては、電気集塵機２２が所定の部位に取付けられてからの累計運転時間をカウントして、予め設定された所定時間が経過したことで、電極が汚れていることを検知する方法、あるいは、電気集塵機２２に付着し堆積する塵埃の状態を、電極の電圧、通過風量、あるいは堆積量などを検出することで検知する方法などで実行する。
【００５１】
つぎに、このようにして構成される空気調和機の室内機における作用について説明する。  
使用者がリモコンの運転ボタンを押圧操作すると、送風機１０が駆動するとともに空気清浄ユニット１８が作用する。さらに、室内機と冷媒管を介して連通する室外機において圧縮機が駆動して、冷凍サイクル運転が開始される。
【００５２】
室内空気は前面吸込み口４および上面吸込み口５から吸込み通風路１５ｂに沿って導かれ、前部エアフィルタ１７および上部エアフィルタ２０を通過する。このとき、室内空気中に含まれる塵埃が各エアフィルタ１７，２０に捕捉される。前部エアフィルタ１７により塵埃が除去された室内空気は空気清浄ユニット１８を構成する電気集塵機２２を通過して、より微細な塵埃が電気的に集塵され、かつ脱臭される。
【００５３】
清浄化した室内空気は熱交換器８を流通し、ここに導かれる冷媒と熱交換作用が行われる。そのあと熱交換空気は吹出し通風路１５ａに沿って導かれ、左右ルーバ１３および上下ルーバ７ａ，７ｂに案内されて吹出し口６から室内へ吹出され、効率のよい空調運転を継続する。
【００５４】
上記電気集塵機２２には、室内空気を清浄化するのにともなって雑菌類や塵埃などからなる汚れが付着し、そのまま放置すれば空気清浄機能が衰えて効率が低下する。空気清浄器検知器７５は電気集塵機２２の汚れを検知し、制御部Ｒへ検知信号を送る。
【００５５】
制御部Ｒにおいては、電気集塵機２２の汚れ状態が所定以上であると判断すると、直ちにリモコン１００へ電気集塵機２２の掃除が必要である旨の報知信号を送る。リモコン１００の表示画面にたとえば、「電気集塵機を掃除してください」の文字を表示し点滅させる。あるいは、前面パネル２に取付けたランプ（ＬＥＤ）を点滅させてもよい。
【００５６】
さらに制御部Ｒは、使用者が空調運転停止ボタンを押した直後に、空気清浄ユニット１８が取付けられている側である前部エアフィルタ１７に連結する前部エアフィルタ移動機構２５に駆動信号を送る。前部エアフィルタ１７が上昇駆動され、上部エアフィルタ２０の上面側に移動したところで、前部エアフィルタ移動機構２５の駆動を停止する。
【００５７】
したがって、前面吸込み口４と電気集塵機２２との間に何らの介在物もなくなる。使用者が前面パネル２を回動して前面吸込み口４を開放することで、電気集塵機２２が露出する。使用者は電気集塵機２２を取付け部位から取外し、電極に付着している汚れを除去するメンテナンス作業を行う。
【００５８】
使用者は、メンテナンス作業が終了した後、再び電気集塵機２２を所定の取付け部位に取付ける。そして、前面パネル２を回動して前面吸込み口４を閉成しなければならない。空気清浄器検知器７５は電気集塵機２２が取付けられたことを検知して、制御部Ｒに検知信号を送る。
【００５９】
制御部Ｒは前部エアフィルタ移動機構２５に駆動信号を送って前部エアフィルタ１７を再び元の位置に移動復帰させる。パネル検知器６８は可動パネル２Ａが所定の部位にあることを検知し、フィルタ検知器６９は前部エアフィルタ１７と上部エアフィルタ２０が所定の部位にあることを検知して、それぞれ制御部Ｒへ検知信号を送る。
【００６０】
制御部Ｒはそれぞれの検知器からの検知信号を受けてから、リモコン１００へ空気清浄器掃除を報知する表示の消去制御をなす。あるいは、前面パネル２に取付けた表示ランプの点滅を消す。
【００６１】
このようにして、空気清浄器検知器７５が電気集塵機２２の汚れを検知し、この検知信号を受けた制御部Ｒが、たとえばリモコン１００へ電気集塵機２２の掃除が必要である旨の報知をなす。したがって、使用者は確実に電気集塵機２２の汚れを知ることができ、メンテナンス作業に繋げられる。
【００６２】
その報知に気付いた使用者が空調運転停止ボタンを押す、もしくはその日の空調運転を停止すべく空調運転停止ボタンを押すと、室内制御部６０は前部エアフィルタ移動機構２５へ駆動信号を送る。前部エアフィルタ１７は上昇駆動され、前面吸込み口４に電気集塵機２２が直接対向し、電気集塵機２２は脱着可能な状態になる。
【００６３】
しかしながら、使用者によっては空気清浄器掃除の必要を報知する表示を気付いたとしても、その報知を無視して清掃を行わない場合もあり得る。  
このような事情を勘案して、制御部Ｒは前部エアフィルタ移動機構２５へ駆動信号を送り、前部エアフィルタ１７を上昇駆動して前面吸込み口４と電気集塵機２２を直接対向させ、電気集塵機２２を脱着可能な状態にしたときをスタートとするタイマ機能を動作させる。
【００６４】
上記タイマ機能が所定時間をカウントしてもなお、空気清浄器検知器７５から電気集塵機２２の取外しを確認する検知信号を受けない状態では、制御部Ｒは再び前部エアフィルタ移動機構２５に制御信号を送る。上部エアフィルタ２０の上面側にあった前部エアフィルタ１７は、元の前面吸込み口４と対向する位置に移動復帰される。
【００６５】
通常の運転状態に戻ることになり、空調運転を再開すれば、上部エアフィルタ２０とともに前部エアフィルタ１７は流通する室内空気から塵埃を捕捉する。すなわち、空気清浄ユニット１８が取付けられている側の空気の集塵作用が行われないという不具合を防止できる。
【００６６】
一方、使用者がリモコン１００を操作して「エアフィルタ掃除モード」を選択する、もしくは所定の期間毎で空調運転の終了後、もしくは予め設定された時間、もしくは予め決められた時間帯などに、「エアフィルタ掃除モード」が自動的に行われる。
【００６７】
このエアフィルタ掃除モードを、図６に示すフローチャート図とともに説明する。  
ステップＳ１において、制御部Ｒが掃除開始の信号を必要な構成部品へ送る。  
ステップＳ２において、エアフィルタ挟み込み判定を行う。具体的には、エアフィルタ清掃ユニットＳのシール機構Ｗに駆動信号を送って、シール機構Ｗを構成するステッピングモータをモータ速度Ａ（ｐｐｓ）で駆動し、シール部材３４でダストボックス３２の開口部３３を閉成するよう、シール部材３４を上昇移動する。
【００６８】
ステッピングモータが所定回転数だけ回転すれば、シール部材３４が所定量上昇することとなり、シール部材３４はダストボックス３２に接触して開口部３３を閉成して、ステッピングモータは駆動を停止する。  
すなわち、前部エアフィルタ１７と上部エアフィルタ２０が所定の部位にあって、［挟み込み判定ＯＫ？］がＹＥＳということになり、ステップＳ３へ移る。
【００６９】
何らかの理由により、前部エアフィルタ１７もしくは上部エアフィルタ２０の位置がずれて、一部が開口部３３に位置していることがある。このときは、ステッピングモータが所定回転数だけ回転せず、シール部材３４が所定量上昇しないうちに、位置ずれしているエアフィルタをダストボックス３２との間に挟み込み、ステッピングモータが停止する。
【００７０】
ステップＳ２において、ステッピングモータが所定回転数だけ回転せずに停止する場合は、シール部材３４とダストボックス３２との間に前部エアフィルタ１７もしくは上部エアフィルタ２０の一部が挟み込まれていると判断する。すなわち、［挟み込み判定ＯＫ？］がＮＯということになり、このときはステップＳ４に移る。
【００７１】
ステップＳ４において、制御部Ｒはシール機構Ｗに駆動信号を送ってシール部材３４を元の部位に戻す。そのうえで、前部エアフィルタ移動機構２５と上部エアフィルタ移動機構２６に制御信号を送って、前部エアフィルタ１７と上部エアフィルタ２０の位置を微調整し、正規の位置に収めさせる。
【００７２】
ステップＳ４で前、上部エアフィルタ移動機構２５，２６の駆動を確認したら、ＹＥＳとなってステップＳ３へ移る。前、上部エアフィルタ移動機構２５，２６の駆動を確認できない場合は、ＮＯとなってステップＳ５へ移り、前、上部エアフィルタ１７，２０いずれかが位置ずれしたままと判断する。
【００７３】
このときは、エアフィルタ掃除モードを一旦中止して、その旨を使用者に報知し、前、上部エアフィルタ１７，２０いずれかの位置ずれを矯正してもらう。そのうえで、ステップＳ１へ戻る。
【００７４】
なお、ステップＳ４においてＹＥＳとなったら、再びステップＳ２に戻り、再度、前、上部エアフィルタ１７，２０の挟み込み判定を行うようにしてもよい。このようにすれば、さらに信頼度の向上を得られる。
【００７５】
ステップＳ２から直接ステップＳ３に移った場合は、ステップＳ３において制御部Ｒはシール機構Ｗに駆動信号を送ってステッピングモータをモータ速度Ａ（ｐｐｓ）で駆動する。シール部材３４は下降移動し開口部３３を開放する。
【００７６】
さらに、上部エアフィルタ移動機構２６を駆動して上部エアフィルタ２０を徐々に前面側へ移動させる。上部エアフィルタ２０はダストボックス３２とシール部材３４との間に形成される隙間を挿通する。回転ブラシ３０が回転駆動され、移動してきた上部エアフィルタ２０に摺接する。
【００７７】
上部エアフィルタ２０に付着していた塵埃は、回転ブラシ３０によって円滑に、かつ確実に掻き落されて除去される。塵埃は上部エアフィルタ２０から回転ブラシ３０に転移するが、この直後に回転ブラシ３０は掻き落し用突部３５に接触して通過する。掻き落し用突部３５は回転ブラシ３０に転移した塵埃を塵埃受け通路３１に掻き落す。
【００７８】
塵埃受け通路３１の一側部に設けられる吸気口３６は蓋体３７によって閉成され、吸排気装置１１は停止して風力ダンパはダンパケース４４を閉成する。ダストボックス３２の開口部３３以外は密閉構造であり、掻き落とされた塵埃が塵埃受け通路３１から周辺へ飛散することはない。
【００７９】
上部エアフィルタ２０は回転ブラシ３０によって塵埃を除去されつつ、前部エアフィルタ１７の前面側に案内される。所定位置に到達すると、制御部Ｒは上部エアフィルタ移動機構２６を一旦停止させ、しかる後、上部エアフィルタ２０を元の位置に戻るよう逆転制御する。
【００８０】
先の塵埃除去作用で全ての塵埃が上部エアフィルタ２０から除去されるが、条件によっては、なお上部エアフィルタ２０に塵埃が残留する場合がある。しかしながら、上部エアフィルタ２０が復帰移動する際にも回転ブラシ３０が摺接するので、残留していた塵埃の全ては確実に除去される。
【００８１】
上部エアフィルタ２０が元の位置に戻ると、ステップＳ６に移って制御部Ｒはシール機構Ｗに駆動信号を送り、ステッピングモータをモータ速度Ａ（ｐｐｓ）で駆動する。シール部材３４は上昇し、上部エアフィルタ２０の挟み込みチェックを行う。
【００８２】
ステッピングモータが所定回転数だけ回転し、シール部材３４が所定量上昇してダストボックス３２の開口部３３を閉成すれば、上部エアフィルタ２０の挟み込みチェックがＹＥＳとなってステップＳ７へ移る。
【００８３】
何らかの理由により、上部エアフィルタ２０の位置がずれて、一部が開口部３３に位置していることがある。このときは、ステッピングモータが所定回転数だけ回転せず、シール部材３４が所定量上昇しないうちに、ステッピングモータの回転が停止する場合がある。
【００８４】
ステップＳ６において、ステッピングモータが所定回転数だけ回転せずに停止する場合は、シール部材３４とダストボックス３２との間に上部エアフィルタ２０の一部が挟み込まれていると判断する。すなわち、［挟み込み判定ＯＫ？］がＮＯということになり、このときはステップＳ８に移る。
【００８５】
制御部Ｒは上部エアフィルタ移動機構２６に駆動信号を送る。上部エアフィルタ２０は移動させられ、正規の位置に戻るよう位置修正される。上部エアフィルタ移動機構２６の駆動を確認したら、ＹＥＳとなってステップＳ７へ移る。  
ステップＳ８で上部エアフィルタ移動機構２６の駆動を確認できない場合は、ＮＯとなってステップＳ９へ移り、上部エアフィルタ２０が位置ずれしたままと判断する。
【００８６】
制御部Ｒはエアフィルタ掃除モードを中止し、その旨を使用者に報知する。使用者により、上部エアフィルタ２０の位置ずれを矯正してもらう。そのうえで、ステップＳ１へ戻る、もしくはステップＳ７へ移る。  
なお、ステップＳ８においてＹＥＳとなったら、再びステップＳ６に戻り、再度、上部エアフィルタ２０の挟み込み判定を行うようにしてもよい。さらに、信頼度の向上を得られる。
【００８７】
ステップＳ７では、前部エアフィルタ１７に対する清掃作用をなす。すなわち、制御部Ｒは前部エアフィルタ移動機構２５へ駆動信号を送り、前部エアフィルタ１７を上方へ移動させる。前部エアフィルタ１７は上端部から順次、エアフィルタ清掃ユニットＳを通過する。
【００８８】
前部エアフィルタ１７に付着していた塵埃は、回転ブラシ３０によって円滑に、かつ確実に掻き落されて除去される。塵埃は前部エアフィルタ１７から回転ブラシ３０に転移し、この直後に回転ブラシ３０は掻き落し用突部３５に接触して転移した塵埃が塵埃受け通路３１に掻き落される。
【００８９】
前部エアフィルタ１７が上部エアフィルタ２０の上部側へ移動すると、制御部Ｒは前部エアフィルタ移動機構２５を一旦停止させる。しかる後、前部エアフィルタ１７を元の位置に戻るよう逆転制御する。回転ブラシ３０は前部エアフィルタ１７が復帰移動する際にも摺接するので、残留していた塵埃の全ては確実に除去される。
【００９０】
前部エアフィルタ１７が元の位置に戻ったら、ステップＳ１０へ移って前部エアフィルタ１７に対する挟み込みチェックを行う。すなわち、制御部Ｒはシール機構Ｗに駆動信号を送ってステッピングモータをモータ速度Ａ（ｐｐｓ）で駆動する。
【００９１】
ステッピングモータが所定回転数だけ回転し、シール部材３４が所定量上昇してダストボックス３２の開口部３３を閉成すれば、上部エアフィルタ２０の挟み込みチェックＯＫ？がＹＥＳとなってステップＳ１１へ移る。
【００９２】
ステップＳ１０において、ステッピングモータが所定回転数だけ回転せずに停止する場合は、シール部材３４とダストボックス３２との間に前部エアフィルタ１７の一部が挟み込まれていると判断する。すなわち、［挟み込み判定ＯＫ？］がＮＯということになり、このときはステップＳ１２に移る。
【００９３】
制御部Ｒは前部エアフィルタ移動機構２５に駆動信号を送る。前部エアフィルタ１７は移動させられ、正規の位置に戻るよう位置修正される。前部エアフィルタ移動機構２５の駆動を確認したら、ＹＥＳとなってステップＳ１１へ移る。  
ステップＳ１２で前部エアフィルタ移動機構２５の駆動を確認できない場合は、ＮＯとなってステップＳ１３へ移り、前部エアフィルタ１７が位置ずれしたままと判断する。
【００９４】
制御部Ｒはエアフィルタ掃除モードを中止し、その旨を使用者に報知する。使用者により、前部エアフィルタ１７の位置ずれを矯正してもらう。そのうえで、ステップＳ１へ戻る、もしくはステップＳ１０へ移る。
【００９５】
なお、ステップＳ１２においてＹＥＳとなったら、再びステップＳ１０に戻り、再度、前部エアフィルタ１７の挟み込み判定を行うようにしてもよい。この場合、さらに信頼度の向上を得られる。
【００９６】
ステップＳ１１において、エアフィルタ清掃ユニットＳに収集した塵埃を、吸排気装置１１を作動して屋外へ排出する工程をなす。制御部Ｒはシール機構Ｗに制御信号を送って、ステッピングモータをモータ速度Ｂ（ｐｐｓ）で駆動する。
【００９７】
このときのモータ速度Ｂ（ＰＰｓ）は、先に説明したステップＳ２における挟み込み判定の工程と、ステップＳ６における上部エアフィルタ２０の挟み込みチェックの工程と、ステップＳ１０における前部エアフィルタ１７の挟み込みチェックの工程での、ステッピングモータのモータ速度Ａ（ｐｐｓ）よりも遅い速度（Ａ＞Ｂ）に制御される。
【００９８】
すなわち、後述するように吸排気装置１１の駆動時には、ダストボックス３２内に大きな負圧をかけることで、ダストボックス３２内に収集した塵埃を速やかに、かつ完全に屋外へ排出できる。そのためには、ダストボックス３２に設けられる開口部３３を、シール部材３４によって確実に閉成する必要がある。
【００９９】
その一方で、先に説明したエアフィルタ挟み込みチェックの工程では、シール部材３４を速やかに移動させてチェック時間の短縮化を図る。このときは特に、シール部材３４をダストボックス３２もしくはエアフィルタ１７，２０を強力に押付ける必要がない。
【０１００】
したがって、ステップＳ１１における塵埃の屋外排出工程では、シール機構ＷのステッピングモータをＡ速度よりは遅いＢ速度に設定し、高トルクを得られるようにして、シール部材３４で開口部３３を強力に閉成する。
【０１０１】
これに対して、ステップＳ２、Ｓ６、Ｓ１０のエアフィルタ挟み込みチェックの工程では、シール機構ＷのステッピングモータをＢ速度よりは速いＡ速度に設定し、短時間でチェックを終了させる。低トルクが得られるから、エアフィルタを挟み込んだ途端にステッピングモータの回転が停止し、検知精度が向上する。
【０１０２】
１台のステッピングモータの駆動速度を変化させることで、制御シーケンスや、シール機構Ｗ構造および、ステッピングモータの数などを変更することなく、エアフィルタの位置検出と、塵埃屋外排出時のシールを行うことが可能となる。数台のステッピングモータを備える必要がないから、低コストと省スペース化が得られる。
【０１０３】
ステップＳ１１において、制御部Ｒは吸排気装置１１に制御信号を送って排気ファンのファンモータ４７を駆動するとともに、開閉ダンパにより換気吸込み口および補助換気吸込み口を閉成させる。
【０１０４】
排気ファンの回転にともなって風力ダンパに負圧がかかり、ダンパケース４４内を開放する。したがって、負圧は案内ホース４２と塵埃排出ボックス４０を介してエアフィルタ清掃ユニットＳに作用する。実際には、塵埃排出ボックス４０から塵埃受け通路３１に負圧がかかる。
【０１０５】
吸排気装置１１の運転開始時において蓋体３７は吸気口３６を閉成しており、塵埃受け通路３１は塵埃排出ボックス４０側端部のみが開放状態にある。しかも、開放している塵埃排出ボックス４０側端部には排気ファンの駆動にともなう負圧がかかっているから、ダストボックス３２内は大気との圧力差が徐々に拡大した負圧状態に変る。
【０１０６】
所定時間が経過したあと、制御部Ｒは蓋体３７を駆動する駆動機構３８に制御信号を送って吸気口３６を開放する。吸気口３６からダストボックス３２内に急激に空気が導入され、ほとんど瞬間的に負圧状態から大気圧に変化する。
【０１０７】
その結果、吸気口３６から瞬間的に導入された比較的圧力の高い空気が、ダストボックス３２内の吸排気装置１１方向へ速い速度で搬送される。塵埃受け通路３１にある塵埃はその空気流の勢いに乗って塵埃排出ボックス４０側に導かれ、さらに案内ホース４２を介してファンケーシング４６に導かれ、排気ダクトを介して屋外へ排出される。  
所定時間が経過したあと制御部Ｒは吸排気装置１１の作動を停止する。そして、ステップＳ１４に移ってエアフィルタ清掃完了となる。
【０１０８】
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【０１０９】
【図１】本発明における実施の形態に係る、空気調和機室内機の概略縦断面図。
【図２】同実施の形態に係る、前面パネルを取外した室内機本体の正面図。
【図３】同実施の形態に係る、室内機本体の一部斜視図。
【図４】同実施の形態に係る、室内機本体の一部斜視図。
【図５】同実施の形態に係る、室内機の制御回路を示すブロック図。
【図６】同実施の形態に係る、作用を説明するためのフローチャート図。
【符号の説明】
【０１１０】
１…室内機本体、１５ａ…吸込み通風路、１５ｂ…吹出し通風路、８…熱交換器、１０…送風機、４…前面吸込み口、５…上面吸込み口、１７…前部エアフィルタ、２０…上部エアフィルタ、２５…前部エアフィルタ移動機構、２６…上部エアフィルタ移動機構、Ｓ…エアフィルタ清掃ユニット、１１…吸排気装置、１８…空気清浄ユニット（空気清浄器）、Ｒ…制御部（制御手段）。
【図１】
2010071631.tif 000003
【図２】
2010071631.tif 000004
【図３】
2010071631.tif 000005
【図４】
2010071631.tif 000006
【図５】
2010071631.tif 000007
【図６】
2010071631.tif 000008